(57)【特許請求の範囲】
【請求項１】
スイッチを操作した際に読み取られた操作者の生体情報と予め登録された複数の登録者の生体情報との類似度に基づいて前記スイッチを操作する操作者が第１の登録者であると判定した後、当該操作者が生体情報の再登録とは異なる操作により、予め登録された前記第１の登録者の設定とは異なる第２の登録者の設定を選択した場合、当該第２の登録者の生体情報を当該操作者の生体情報を用いて更新する判定部を備えた操作者判定装置。
【請求項２】
前記判定部は、予め定められた更新しきい値を有し、当該操作者の生体情報と当該第２の登録者の生体情報との類似度が前記更新しきい値以上である場合、当該第２の登録者の生体情報を当該操作者の生体情報に基づいて更新する、
請求項１に記載の操作者判定装置。
【請求項３】
前記判定部は、予め定められた類似度しきい値を有し、操作者の生体情報と登録者の生体情報との類似度が前記類似度しきい値以上である場合、当該操作者を当該登録者であると判定する、
請求項２に記載の操作者判定装置。
【請求項４】
前記更新しきい値は、前記類似度しきい値よりも大きい、
請求項３に記載の操作者判定装置。
【請求項５】
車両に搭載された複数の車載装置ごとに行われた車両設定とこの車両設定を行った登録者とを関連付けた車両設定テーブルを生成する車両設定テーブル生成部を有し、
前記判定部は、前記スイッチを操作した操作者が登録者であると判定した場合、前記車両設定テーブルに基づいて当該登録者が登録した前記設定としての車両設定を読み出して車両設定情報として出力する、
請求項１乃至４のいずれか１項に記載の操作者判定装置。
【発明の詳細な説明】
【技術分野】
【０００１】
本発明は、操作者判定装置に関する。
【背景技術】
【０００２】
従来の技術として、駆動源の始動や停止を指令する始動スイッチと、駆動源を始動させる始動手段と、指紋を読み取る指紋センサと、指紋センサ、始動スイッチからの入力に基づいて始動手段の作動を制御する始動処理を実行する制御手段と、を備えた始動制御装置が知られている（例えば、特許文献１参照。）。
【０００３】
この始動制御装置の制御手段は、始動スイッチにより始動が指令されたときに、始動手段による始動を実行する前に、指紋センサが読み取った指紋と予め登録された登録指紋とによる指紋照合を行い、一致判定がなされると、利用者が正当な利用者であると認証して始動手段による始動を許可する。
【先行技術文献】
【特許文献】
【０００４】
【特許文献１】特開２００８−１７４０９５号公報
【発明の概要】
【発明が解決しようとする課題】
【０００５】
従来の始動制御装置は、登録指紋の読み取り精度が低かったり、時間の経過によって現在の指紋と登録指紋との差が判定に支障をきたす程生じていたりする場合、操作者自身で登録指紋を再登録しないと判定精度を改善することができない問題がある。
【０００６】
従って、本発明の目的は、登録された生体情報を更新して判定精度を向上させることができる操作者判定装置を提供することにある。
【課題を解決するための手段】
【０００７】
本発明の一態様は、スイッチを操作した際に読み取られた操作者の生体情報と予め登録された複数の登録者の生体情報との類似度に基づいてスイッチを操作する操作者が第１の登録者であると判定した後、当該操作者が第２の登録者を選択した場合、当該第２の登録者の生体情報を当該操作者の生体情報を用いて更新する判定部を備えた操作者判定装置を提供する。
【発明の効果】
【０００８】
本発明によれば、登録された生体情報を更新して判定精度を向上させることができる。
【図面の簡単な説明】
【０００９】
【図１】図１（ａ）は、第１の実施の形態に係る車両設定装置のブロック図の一例であり、図１（ｂ）は、車両設定装置の生体情報読取部の配置の一例を示す概略図である。
【図２】図２（ａ）は、第１の実施の形態に係る車両設定装置の制御部が類似度の算出に利用する指紋パターンの特徴点の一例について説明するための概略図であり、図２（ｂ）は、登録者ごとの操作者の生体情報との類似度の一例を示す概略図である。
【図３】図３は、第１の実施の形態に係る車両設定装置が含まれる車両設定システムの設定情報の生成に関係する部分のブロック図の一例である。
【図４】図４は、第１の実施の形態に係る車両設定装置の車両設定テーブル生成部が生成する車両設定テーブルの一例を示す概略図である。
【図５】図５は、第１の実施の形態に係る車両設定装置の動作の一例を示すフローチャートである。
【図６】図６は、第２の実施の形態に係る車両設定装置の動作の一例を示すフローチャートである。
【発明を実施するための形態】
【００１０】
（実施の形態の要約）
実施の形態に係る操作者判定装置は、スイッチを操作した際に読み取られた操作者の生体情報と予め登録された複数の登録者の生体情報との類似度に基づいてスイッチを操作する操作者が第１の登録者であると判定した後、当該操作者が第２の登録者を選択した場合、当該第２の登録者の生体情報を当該操作者の生体情報を用いて更新する判定部を備えて概略構成されている。
【００１１】
この操作者判定装置は、操作者によって、判定とは異なる第２の登録者が選択されたことで、第２の登録者の生体情報を操作者の生体情報に更新するので、この機能を持たない場合と比べて、登録された生体情報を更新して判定精度を向上させることができる。
【００１２】
[第１の実施の形態]
（車両設定装置１の概要）
図１（ａ）は、第１の実施の形態に係る車両設定装置のブロック図の一例であり、図１（ｂ）は、車両設定装置の生体情報読取部の配置の一例を示す概略図である。図２（ａ）は、第１の実施の形態に係る車両設定装置の制御部が類似度の算出に利用する指紋パターンの特徴点の一例について説明するための概略図であり、図２（ｂ）は、登録者ごとの操作者の生体情報との類似度の一例を示す概略図である。図３は、第１の実施の形態に係る車両設定装置が含まれる車両設定システムの設定情報の生成に関係する部分のブロック図の一例である。
【００１３】
なお、以下に記載する実施の形態に係る各図において、図形間の比率は、実際の比率とは異なる場合がある。また図１（ａ）、図３では、主な情報の流れを矢印で示している。
【００１４】
判定装置としての車両設定装置１は、図１（ａ）及び図１（ｂ）に示すように、スイッチとしてのスタートスイッチ５と、このスタートスイッチ５を操作した際に読み取られた操作者の生体情報１００と予め登録された複数の登録者の生体情報１００との類似度に基づいてスタートスイッチ５を操作する操作者が第１の登録者であると判定した後、当該操作者が第２の登録者を選択した場合、当該第２の登録者の生体情報１００を当該操作者の生体情報１００を用いて更新する判定部としての制御部１８を備えて概略構成されている。
【００１５】
この制御部１８は、予め定められた類似度しきい値１８０を有し、操作者の生体情報１００と登録者の生体情報１００との類似度が類似度しきい値１８０以上である場合、当該操作者を当該登録者であると判定する。
【００１６】
また制御部１８は、予め定められた更新しきい値１８１を有し、当該操作者の生体情報１００と当該第２の登録者の生体情報１００との類似度が更新しきい値１８１以上である場合、当該第２の登録者の生体情報１００を当該操作者の生体情報１００に基づいて更新する。この登録者の生体情報１００は、後述する登録生体情報１４０である。
【００１７】
なお本実施の形態における更新は、例えば、第２の登録者の生体情報１００を操作者の生体情報１００に置き換えることによって行われるが、第２の登録者の生体情報１００が部分的に置き換えられても良いし、第２の登録者の生体情報１００が操作者の生体情報１００によって拡張されても良く、これに限定されない。
【００１８】
車両設定装置１は、車両に搭載された複数の車載装置ごとに行われた車両設定とこの車両設定を行った登録者とを関連付けた車両設定テーブル１６０を生成する車両設定テーブル生成部１６を備えている。制御部１８は、スタートスイッチ５を操作した操作者が当該登録者であると判定した場合、車両設定テーブル１６０に基づいて当該登録者が登録した車両設定を読み出して車両設定情報Ｓ４として出力する。
【００１９】
さらに車両設定装置１は、図１（ａ）及び図１（ｂ）に示すように、スタートスイッチ５と、生体情報読取部１０と、登録読出部１２と、記憶部１４と、を備えている。
【００２０】
（スタートスイッチ５の構成）
スタートスイッチ５は、例えば、運転席に着座する操作者の前方や運転席と助手席の間に位置するフロアコンソールなどに配置されている。このスタートスイッチ５は、操作面５０になされたプッシュ操作（オン操作）により、車両の駆動装置の始動、又は始動準備を車両に指示し、その後になされたプッシュ操作（オフ操作）により、駆動装置の停止を指示する。
【００２１】
具体的には、駆動装置が内燃機関（エンジン）である場合、シフト装置やブレーキ装置の操作条件が満足された状態でなされたプッシュ操作によりエンジンが始動する。また駆動装置がモータである場合、上記の操作条件が満足された状態でなされたプッシュ操作によりモータに電流を供給する始動準備が行われる。さらに駆動装置がエンジンとモータのハイブリッドである場合、上記の操作条件が満足された状態でなされたプッシュ操作により、始動時に優先される駆動装置に対応して始動又は始動準備が行われる。このオン操作の後に行われたオフ操作によって、駆動装置の停止が指示されるが、オン操作及びオフ操作時の当該操作条件によっては、電源遷移が行われる。なおシフト装置、ブレーキ装置及び駆動装置は、一例として、図３に示す車両制御部２２に接続されている。
【００２２】
このスタートスイッチ５は、例えば、制御部１８に電気的に接続され、プッシュ操作に基づいてスイッチ信号Ｓ５を出力する。
【００２３】
（生体情報読取部１０の構成）
生体情報読取部１０は、図１（ｂ）に示すように、スタートスイッチ５の操作面５０の下方に配置され、操作面５０に接触する操作指の生体情報１００を読み取るように構成されている。この生体情報１００は、一例として、操作指の指紋パターン及び静脈パターンの少なくとも一方のパターンの情報を含んでいる。
【００２４】
この生体情報読取部１０は、例えば、指紋パターンを読み取る場合、光学式、静電容量式、電界強度測定式、感圧式及び感熱式などの指紋パターンを読み取るように構成されたセンサが用いられる。
【００２５】
また生体情報読取部１０は、例えば、静脈パターンを読み取る場合、照射した近赤外線の反射に基づいて静脈パターンを読み出すように構成されたセンサが用いられる。
【００２６】
さらに生体情報読取部１０は、例えば、指紋パターンと静脈パターンの両方を読み取る場合、可視光を照射して撮像した画像を画像処理して指紋パターンと静脈パターンを抽出するように構成されたセンサが用いられる。
【００２７】
本実施の形態の生体情報読取部１０は、一例として、指紋パターンを読み取る静電容量式のセンサであるものとする。生体情報読取部１０は、読み取った指紋パターンの情報である生体情報１００を制御部１８に出力する。
【００２８】
（登録読出部１２の構成）
登録読出部１２は、一例として、図１（ｂ）に示すように、スタートスイッチ５の近傍に配置されたセットボタン１２０、登録ボタン１２１〜登録ボタン１２３を備えて概略構成されている。このセットボタン１２０、登録ボタン１２１〜登録ボタン１２３は、例えば、プッシュボタンとして構成されているがこれに限定されず、タッチスイッチであっても良い。
【００２９】
セットボタン１２０、登録ボタン１２１〜登録ボタン１２３は、操作者が自分好みに調整した車載装置ごとの設定、つまり車両設定を登録する際、及び登録した車両設定を呼び出す際に押されるボタン群である。従って操作者は、登録読出部１２のボタン群を選択して操作することにより、自身が登録した車両設定を読み出すことができる。
【００３０】
車載装置は、一例として、図３に示すように、ステアリング調整装置２４、シート調整装置２６、ミラー調整装置２８、車両周囲撮像装置３０、衝突警告装置３２、タッチパネル３４、表示装置３６、タッチパッド３８、空調装置４０、ナビゲーション装置４２、音楽再生装置４４及び映像再生装置４６などである。また車両設定装置１は、例えば、車両制御部２２が表示装置３６に表示させるメニューの項目数や種類などの設定を設定できる場合、当該設定を車両設定として車両設定テーブル１６０に登録する。
【００３１】
セットボタン１２０には、一例として、「ＳＥＴ」の文字が印刷されている。登録ボタン１２１〜登録ボタン１２３には、一例として、「Ａ」〜「Ｃ」の文字が印刷されている。この「Ａ」〜「Ｃ」は、登録者Ａ〜登録者Ｃを示している。なお登録ボタンの数や登録可能な登録者の数は、任意である。
【００３２】
ここで操作者が現在の車両設定を登録する場合、一例として、セットボタン１２０を押した後、当該車両設定を登録したい登録ボタンを押すことで登録される。この登録操作では、スタートスイッチ５をオン操作した際の生体情報１００が登録生体情報１４０として記憶される。そして登録の後、操作者が車両に乗り込んでスタートスイッチ５をオン操作すると、操作者の生体情報１００と登録生体情報１４０とが照合され、例えば、操作者が登録者Ａであった場合、登録者Ａが設定した車両設定が読み出される。
【００３３】
なお登録読出部１２の操作によって以前登録した車両設定を読み出したい場合、一例として、当該車両設定を登録した登録ボタンを押した後、セットボタン１２０を押すことで押された登録ボタンに関係する登録者の車両設定が読み出される。
【００３４】
セットボタン１２０、登録ボタン１２１〜登録ボタン１２３は、例えば、点灯又は点滅するように構成される。制御部１８は、例えば、操作者が未登録者である場合、登録操作を報知するため、車両設定が登録されていない登録ボタンを点灯又は点滅させる。また制御部１８は、例えば、登録された車両設定が読み出される場合、既に登録されている登録ボタンを点灯又は点滅させる。この報知は、例えば、車両のスピーカから出力される音声メッセージによりなされても良いし、表示装置にメッセージ画像を表示させることによってなされても良いし、上述の点灯又は点滅と組み合わせて行われても良い。
【００３５】
登録読出部１２は、例えば、押されたボタンの組み合わせに応じた登録読出情報Ｓ１を生成し、制御部１８に出力する。制御部１８は、登録読出情報Ｓ１に基づいて車両設定の登録操作がなされたのか、読出操作がなされたのかを判断して適切な処理を行う。
【００３６】
なお登録読出部１２は、例えば、登録ボタン１２１が押された場合、登録ボタン１２１を押した操作者を登録者Ａとして登録読出情報Ｓ１を生成する。同様に、登録読出部１２は、例えば、登録ボタン１２２が押された場合、登録ボタン１２２を押した操作者を登録者Ｂとして登録読出情報Ｓ１を生成し、登録ボタン１２３が押された場合、登録ボタン１２３を押した操作者を登録者Ｃとして登録読出情報Ｓ１を生成する。
【００３７】
変形例として車両設定装置１は、例えば、複数の登録ボタンを操作することにより、押された登録ボタンの組み合わせに応じて３人より多くの登録者の車両設定の登録、及び読出しを行うことができるように構成されても良い。
【００３８】
（記憶部１４の構成）
記憶部１４は、一例として、半導体メモリである。この記憶部１４は、登録者ごとの登録生体情報１４０を記憶している。
【００３９】
この登録生体情報１４０は、例えば、読み取られた生体情報１００と、登録操作の際に押された登録ボタンが示す登録者と、を関連付けた情報である。
【００４０】
なお生体情報読取部１０が静脈パターンを読み取る場合は、登録生体情報１４０が登録を指示された静脈パターンの情報となり、指紋パターン及び静脈パターンを読み取る場合は、登録を指示された指紋パターン及び静脈パターンの情報となる。
【００４１】
（車両設定テーブル生成部１６の構成）
図４は、第１の実施の形態に係る車両設定装置の車両設定テーブル生成部が生成する車両設定テーブルの一例を示す概略図である。図４に示す設定は、登録可能な設定の一部を図示している。
【００４２】
車両設定テーブル生成部１６は、車載装置ごとの設定とこの設定を登録した登録者とを関連付けた車両設定テーブル１６０を生成する。図４に示す車両設定テーブル１６０には、車両制御部２２〜映像再生装置４６の設定の一部が図示されている。
【００４３】
図４に示す車両設定テーブル１６０の車両制御部２２に関する項目は、一例として、表示装置３６に表示される基準画面のメニュー項目に関する設定の項目であり、設定範囲が詳細メニュー、標準メニュー、簡易メニュー、初期設定が標準メニューである。なお他の設定可能な設定は、一例として、メニュー項目の配置などに関する設定である。
【００４４】
ステアリング調整装置２４に関する項目は、一例として、ステアリングの上下角に関する設定の項目であり、設定範囲が１０段階、初期設定が５である。なお他の設定可能な設定は、一例として、ステアリングの長さ調整などに関する設定である。
【００４５】
シート調整装置２６に関する項目は、一例として、シートの前後位置に関する設定の項目であり、設定範囲が３０段階、初期設定が１５である。なお他の設定可能な設定は、一例として、シートの倒れる角度、シートの高さなどに関する設定である。
【００４６】
ミラー調整装置２８に関する項目は、一例として、ミラーの左右角度に関する設定の項目であり、設定範囲が３０段階、初期設定が１５である。なお他の設定可能な設定は、一例として、上下角度などに関する設定である。
【００４７】
車両周囲撮像装置３０に関する項目は、一例として、表示装置３６に表示させる車両の周囲の画像範囲に関する設定の項目であり、設定範囲が全方向、後方、左方向、初期設定が全方向である。なお他の設定可能な設定は、一例として、予測される軌道の表示などに関する設定である。
【００４８】
衝突警告装置３２に関する項目は、一例として、警告音に関する設定の項目であり、設定範囲が２０段階、初期設定が１０である。なお他の設定可能な設定は、一例として、障害物を検知する感度などに関する設定である。
【００４９】
タッチパネル３４に関する項目は、一例として、操作指の検出感度に関する設定の項目であり、設定範囲が２０段階、初期設定が１０である。このタッチパネル３４は、表示装置３６に重ねて設置されている。なお他の設定可能な設定は、一例として、自動感度調節のＯＮ、ＯＦＦなどに関する設定である。
【００５０】
表示装置３６に関する項目は、一例として、明度に関する設定の項目であり、設定範囲が５０段階、初期設定が２５である。なお他の設定可能な設定は、一例として、コントラストなどに関する設定である。
【００５１】
タッチパッド３８に関する項目は、一例として、操作指の検出感度に関する設定の項目であり、設定範囲が２０段階、初期設定が１０である。このタッチパッド３８は、例えば、運転席と助手席の間のフロアコンソールに配置されている。なお他の設定可能な設定は、一例として、自動感度調節のＯＮ、ＯＦＦなどに関する設定である。
【００５２】
空調装置４０に関する項目は、一例として、設定温度に関する設定の項目であり、設定範囲が１８〜３０℃、初期設定が２０℃である。なお他の設定可能な設定は、一例として、運転席、助手席、後部座席ごとの設定温度、吹出口、自動温度調整のＯＮ、ＯＦＦなどに関する設定である。
【００５３】
ナビゲーション装置４２に関する項目は、一例として、表示装置３６に表示される地図画像の縮尺に関する設定の項目であり、設定範囲が２５ｍ（１／２５００）〜２００ｋｍ（１／２０４８万）、初期設定が１００ｍ（１／１万）である。なお他の設定可能な設定は、一例として、目的地の選択、駐車場などのアイコンの表示・非表示などに関する設定である。
【００５４】
音楽再生装置４４に関する項目は、一例として、曲のシャッフルに関する設定の項目であり、設定範囲がＯＮとＯＦＦ、初期設定がＯＦＦである。なお他の設定可能な設定は、一例として、音量、音質などに関する設定である。
【００５５】
映像再生装置４６に関する項目は、一例として、再生位置に関する設定の項目であり、設定範囲が前回再生位置及びメインメニュー、初期設定が前回再生位置である。なお他の設定可能な設定は、一例として、音量、音質などに関する設定である。
【００５６】
なお他の車載装置としては、ワイパ装置（例えば、自動ワイパ機能のＯＮ・ＯＦＦ）、ヘッドライト（例えば、自動ライト機能のＯＮ・ＯＦＦ）、無線ネットワーク装置（例えば、携帯電話及びスマートフォンなどとの接続・非接続）、アイドリングストップ装置（例えば、アイドリングストップのＯＮ・ＯＦＦ）、駆動方法切替装置（例えば、２ＷＤと４ＷＤの切り替え）、走行モード切替装置（例えば、ノーマルモード、スポーツモード、オールウェザーモード）、横滑り安全装置（例えば、機能のＯＮ・ＯＦＦ）などがある。
【００５７】
車両設定テーブル生成部１６は、例えば、現在の車両設定の登録操作が行われた場合、現在の車両設定に関する設定情報Ｓ３を車両制御部２２から取得すると共に制御部１８から登録者を識別する識別情報Ｓ２を取得し、登録者と車両設定とを関連付けて車両設定テーブル１６０を作成する。この設定情報Ｓ３は、例えば、制御部１８が登録読出情報Ｓ１に基づいて登録操作が行われたと判定し、車両制御部２２に設定情報Ｓ３の出力を依頼することで得られる。
【００５８】
また車両設定テーブル生成部１６は、例えば、車両設定の読み出しが行われる場合、制御部１８が出力した識別情報Ｓ２が示す登録者の車両設定を車両設定テーブル１６０から読み出し、車両設定情報Ｓ４として出力する。
【００５９】
（制御部１８の構成）
制御部１８は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１８が動作するためのプログラムと、類似度しきい値１８０と、更新しきい値１８１と、が格納されている。ＲＡＭは、例えば、一時的に演算結果などを格納する記憶領域として用いられる。
【００６０】
制御部１８は、一例として、図２（ａ）に示すように、生体情報１００に基づく操作者の指紋パターンの特徴点と、登録生体情報１４０に登録された登録者の指紋パターンの特徴点と、の類似度が類似度しきい値１８０以上である場合、操作者が登録者であると判定する。
【００６１】
この特徴点とは、例えば、図２（ａ）に示すように、中心点１１０、分岐点１１１、端点１１２及び三角州１１３と呼ばれる４つの点である。中心点１１０とは、指紋パターン９０の中心となる点である。分岐点１１１とは、指紋の隆線が分岐している点である。端点１１２とは、隆線が切れている点である。三角州１１３とは、三方向から隆線が集まった点である。なお制御部１８は、特徴点の位置、特徴点間の距離などに基づいて照合し、類似度を算出する。
【００６２】
制御部１８は、生体情報１００及び登録生体情報１４０の指紋パターンの特徴点を照合し、一致する特徴点の数に応じて類似度を判定し、操作者が登録者のいずれなのか、それとも未登録者なのかを識別する。
【００６３】
具体的には制御部１８は、一例として、登録生体情報１４０に基づく登録者Ａ〜登録者Ｃの指紋パターンの特徴点がそれぞれ５０箇所であり、操作者の指紋パターンの特徴点との一致点が、登録者Ａが４０箇所、登録者Ｂが２０箇所、登録者Ｃが３３箇所である場合、登録者Ａとの類似度が８０（％）、登録者Ｂとの類似度が４０（％）、及び登録者Ｃとの類似度が６６（％）と算出する。制御部１８は、一例として、類似度しきい値１８０が７０（％）である場合、操作者が登録者Ａであると判定する。
【００６４】
本実施の形態では、類似度しきい値１８０が、一例として、７０であり、更新しきい値１８１が類似度しきい値１８０より大きい７６であるとする。
【００６５】
制御部１８は、登録操作がなされた場合、登録者と登録者の生体情報１００を関連付けた登録生体情報１４０を記憶部１４に記憶させるように構成されている。
【００６６】
制御部１８は、スタートスイッチ５がオン操作された後、生体情報１００と登録生体情報１４０とを照合する。制御部１８は、照合の結果、類似度しきい値１８０以上の登録生体情報１４０のうち、操作者の生体情報１００との類似度が最大の類似度の登録者を当該操作者であると判定する。そして制御部１８は、車両設定テーブル１６０に基づいて当該登録者の車両設定情報Ｓ４を、車両ＬＡＮ２０を介して車両制御部２２に出力する。
【００６７】
ここで制御部１８は、図２（ｂ）に示すように、操作者の生体情報１００と登録者Ａ〜登録者Ｃの登録生体情報１４０との類似度が、「２１」、「７５」、「７８」であり、上述のように、類似度しきい値１８０が７０である場合、類似度が７０以上で最大である登録者Ｃが操作者であるとして登録者Ｃが登録した車両設定がなされるように車両設定情報Ｓ４を出力する。
【００６８】
ところが登録者Ｃが行った車両設定が実行された後、操作者が登録読出部１２を操作して登録者Ｂの車両設定を選択した場合、制御部１８は、登録者Ｂの車両設定情報Ｓ４を出力すると共に、登録者Ｂの類似度が更新しきい値１８１以上であるか確認する。
【００６９】
制御部１８は、登録者Ｂの類似度が更新しきい値１８１以上であるので、登録者Ｂの生体情報１００を、操作者の生体情報１００に更新して新たに登録生体情報１４０を生成して記憶部１４に記憶させる。
【００７０】
続いて以下では、車両設定装置１を含む車両設定システム２について説明する。
【００７１】
車両設定システム２は、一例として、図３に示すように、車両設定装置１と、複数の車載装置と、車両設定装置１から出力された車両設定情報Ｓ４に基づいて複数の車載装置を制御する車両制御部２２と、を備えている。
【００７２】
車両制御部２２は、例えば、記憶されたプログラムに従って、取得したデータに演算、加工などを行うＣＰＵ、半導体メモリであるＲＡＭ及びＲＯＭなどから構成されるマイクロコンピュータである。
【００７３】
この車両制御部２２は、図３に示すように、制御部１８からの依頼によってステアリング調整装置２４〜映像再生装置４６の設定の情報である現在設定情報Ｓ１０〜現在設定情報Ｓ２１を、車両ＬＡＮ２０を介して取得する。そして車両制御部２２は、取得した現在設定情報Ｓ１０〜現在設定情報Ｓ２１に基づいて設定情報Ｓ３を生成し、車両ＬＡＮ２０を介して車両設定装置１に出力する。
【００７４】
また車両制御部２２は、車両設定装置１から車両ＬＡＮ２０を介して車両設定情報Ｓ４を取得する。車両制御部２２は、取得した車両設定情報Ｓ４に基づいて車載装置ごとの設定の情報である個別設定情報Ｓ３０〜個別設定情報Ｓ４１を生成し、車両ＬＡＮ２０を介して対応する車載装置に出力する。車載装置は、自身に対応する個別設定情報に基づいて登録者が登録した設定に変更する。
【００７５】
以下に本実施の形態における車両設定装置１の動作の一例について図５のフローチャートに従って説明する。
【００７６】
（動作）
車両設定装置１の制御部１８は、操作者がスタートスイッチ５を操作すると、生体情報読取部１０から生体情報１００を取得する（Ｓｔｅｐ１）。
【００７７】
制御部１８は、取得した生体情報１００と記憶部１４に記憶されている登録生体情報１４０との類似度を算出して類似度しきい値１８０と比較する。
【００７８】
制御部１８は、類似度しきい値１８０以上の類似度が存在する場合（Ｓｔｅｐ２：Ｙｅｓ）、類似度しきい値１８０以上で最大の類似度となる登録生体情報１４０の登録者の車両設定情報Ｓ４を、車両設定テーブル生成部１６から取得して車両ＬＡＮ２０を介して車両制御部２２に出力し、当該登録者の車両設定を適用させる（Ｓｔｅｐ３）。以下では、一例として、判定された登録者を登録者Ｃであるとする。
【００７９】
制御部１８は、スタートスイッチ５がオフ操作されるまでの間に、他の車両設定が選択された場合（Ｓｔｅｐ４：Ｙｅｓ）、選択された車両設定を適用させるために登録読出部１２で選択された登録者に対応する車両設定情報Ｓ４を出力すると共に、当該登録者の類似度を確認する（Ｓｔｅｐ５）。以下では、一例として、選択された登録者を登録者Ｂであるものとする。
【００８０】
制御部１８は、当該類似度が更新しきい値１８１以上である場合（Ｓｔｅｐ６：Ｙｅｓ）、当該登録者の生体情報１００を操作者の生体情報１００に更新して新たに登録生体情報１４０を生成して記憶部１４に記憶させ（Ｓｔｅｐ７）、動作を終了する。
【００８１】
ここでステップ２において制御部１８は、類似度しきい値１８０以上の類似度が存在しない場合（Ｓｔｅｐ２：Ｎｏ）、未登録者であることを報知し（Ｓｔｅｐ８）、動作を終了する。
【００８２】
またステップ４において制御部１８は、他の車両設定が選択されない場合（Ｓｔｅｐ４：Ｎｏ）、動作を終了する。
【００８３】
さらにステップ６において制御部１８は、類似度が更新しきい値１８１以上でない場合（Ｓｔｅｐ６：Ｎｏ）、選択された登録者Ｂの生体情報を更新せずに動作を終了する。
【００８４】
（第１の実施の形態の効果）
本実施の形態に係る車両設定装置１は、登録された生体情報を更新して判定精度を向上させることができる。具体的には、車両設定装置１は、操作者が判定された第１の登録者の車両設定ではなく、第２の登録者の車両設定を選択した場合、操作者の生体情報１００によって第２の登録者の登録生体情報１４０を更新するので、この機能を持たない場合と比べて、登録者の生体情報１００の読み取り精度が低かったり、時間の経過によって現在の生体情報１００と登録生体情報１４０との差が判定に支障をきたす程生じていたりしても判定精度を向上させることができる。
【００８５】
車両設定装置１は、類似度が更新しきい値１８１以上である場合に更新するので、しきい値を持たない場合と比べて、誤操作や他の登録者の車両設定を試した場合などで誤って更新することを抑制し、適切な更新を行うことができる。さらに車両設定装置１は、更新しきい値１８１が類似度しきい値１８０より高く設定されているので、より適切に更新することができる。
【００８６】
車両設定装置１は、操作者が再登録操作することなく、登録生体情報１４０の更新を行うことができるので、操作者に煩わしい思いをさせずに更新することができる。
【００８７】
車両設定装置１は、判定精度が高いので、適切な車両設定を操作者に提供することができる。
【００８８】
［第２の実施の形態］
第２の実施の形態は、更新しきい値１８１が類似度しきい値１８０と等しい点で上述の実施の形態と異なっている。
【００８９】
本実施の形態の車両設定装置１は、更新しきい値１８１が類似度しきい値１８０と等しくなるように構成されている。
【００９０】
以下に本実施の形態における車両設定装置１の動作の一例について図６のフローチャートに従って説明する。
【００９１】
（動作）
車両設定装置１の制御部１８は、操作者がスタートスイッチ５を操作すると、生体情報読取部１０から生体情報１００を取得する（Ｓｔｅｐ１０）。
【００９２】
制御部１８は、取得した生体情報１００と記憶部１４に記憶されている登録生体情報１４０との類似度を算出して類似度しきい値１８０と比較する。
【００９３】
制御部１８は、類似度しきい値１８０以上の類似度が存在する場合（Ｓｔｅｐ１１：Ｙｅｓ）、類似度しきい値１８０以上で最大の類似度となる登録生体情報１４０の登録者の車両設定情報Ｓ４を、車両設定テーブル生成部１６から取得して車両ＬＡＮ２０を介して車両制御部２２に出力し、当該登録者の車両設定を適用させる（Ｓｔｅｐ１２）。以下では、一例として、判定された登録者を登録者Ｃであるとする。
【００９４】
制御部１８は、スタートスイッチ５がオフ操作されるまでの間に、他の車両設定が選択された場合（Ｓｔｅｐ１３：Ｙｅｓ）、選択された車両設定を適用させるために登録読出部１２で選択された登録者に対応する車両設定情報Ｓ４を出力すると共に、当該登録者の類似度を確認する（Ｓｔｅｐ１４）。以下では、一例として、選択された登録者を登録者Ｂであるものとする。
【００９５】
制御部１８は、当該類似度が類似度しきい値１８０以上である場合（Ｓｔｅｐ１５：Ｙｅｓ）、当該登録者の生体情報１００を操作者の生体情報１００に更新して新たに登録生体情報１４０を生成して記憶部１４に記憶させ（Ｓｔｅｐ１６）、動作を終了する。
【００９６】
ここでステップ１１において制御部１８は、類似度しきい値１８０以上の類似度が存在しない場合（Ｓｔｅｐ１１：Ｎｏ）、未登録者であることを報知し（Ｓｔｅｐ１７）、動作を終了する。
【００９７】
またステップ１３において制御部１８は、他の車両設定が選択されない場合（Ｓｔｅｐ１３：Ｎｏ）、動作を終了する。
【００９８】
さらにステップ１５において制御部１８は、類似度が類似度しきい値１８０以上でない場合（Ｓｔｅｐ１５：Ｎｏ）、選択された登録者Ｂの生体情報を更新せずに動作を終了する。
【００９９】
（第２の実施の形態の効果）
本実施の形態の車両設定装置１は、登録された登録生体情報１４０を更新して判定精度を向上させることができる。
【０１００】
上述の実施の形態及び変形例に係る車両設定装置１は、例えば、用途に応じて、その一部が、コンピュータが実行するプログラム、ＡＳＩＣ（Application Specific Integrated Circuit）及びＦＰＧＡ（Field Programmable Gate Array）などによって実現されても良い。
【０１０１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【０１０２】
１…車両設定装置、２…車両設定システム、５…スタートスイッチ、１０…生体情報読取部、１２…登録読出部、１４…記憶部、１６…車両設定テーブル生成部、１８…制御部、２０…車両ＬＡＮ、２２…車両制御部、２４…ステアリング調整装置、２６…シート調整装置、２８…ミラー調整装置、３０…車両周囲撮像装置、３２…衝突警告装置、３４…タッチパネル、３６…表示装置、３８…タッチパッド、４０…空調装置、４２…ナビゲーション装置、４４…音楽再生装置、４６…映像再生装置、５０…操作面、９０…指紋パターン、１００…生体情報、１１０…中心点、１１１…分岐点、１１２…端点、１１３…三角州、１２０…セットボタン、１２１〜１２３…登録ボタン、１４０…登録生体情報、１６０…車両設定テーブル、１８０…類似度しきい値、１８１…更新しきい値
【図１】
0006584904.tif 000002
【図２】
0006584904.tif 000003
【図３】
0006584904.tif 000004
【図４】
0006584904.tif 000005
【図５】
0006584904.tif 000006
【図６】
0006584904.tif 000007